Podtech/llm-jp-corpus-v4-ja_patent huggingface dataset:
(57)【要約】【課題】  從来の傘は、強風雨には壊れたり人間が引張られて転ぶ危険もあった。それで傘の骨を増やしてみたら、傘は丈夫になったが風圧は増えて、引張られて転ぶ危険性は却って増大し、安全は後退した恐れが強い。【解決手段】傘布に風排出用の窓を開け、窓に対応した窓カバーを設けた。雨に対しては窓カバーがこれを防ぎ、風に対しては窓カバーが吹き上がってこれを放出、放出が終れば直ちに元の位置に下降、この上下動を繰返して風が傘の内部に貯まらないようにした。窓カバーの飛散防止のため、抑え筒及び石突き兼用のキャップを付けたが、これらが傷んだ時に交換し易い構造となっている。単純な構成であり故障が殆ど考えられず、いつまでも使える傘となった。【選択図】図１
2010104752.tif 000002
【特許請求の範囲】
【請求項１】
傘布３の中央に窓４を開け、窓４の上に窓カバー５を乗せ、窓カバー５の上に抑え筒６、抑え筒６の上にキャップ７をそれぞれ配置した傘。
【請求項２】
窓カバー５が抑え筒６と一体化した形状である請求項１の傘。
【発明の詳細な説明】
【技術分野】
【０００１】  この発明は、傘布に風を排出するための窓を開け、この窓に対応させた窓カバーを
【背景技術】
【０００２】  これまでの傘は、強風雨時には使い辛く、反返ったり壊れたりした。傘の骨の本数を増やしたりして丈夫な傘を作ってみたが、これは、差している人間が傘に引張られて転倒する危険性を増大させる一面をも持つことになった。又、傘内部に入り込んだ風を外へ出す方法も、構造が複雑でコスト高を招くものが多く、実用性に乏しい結果に終っている。
【発明の開示】
【発明が解決しようとする課題】
【０００３】  このような傘の頑丈さと人間の安全との矛盾を解決し又、風の排出方法や構造の簡易化を実現しようとするのが、本発明である。
【問題を解決するための手段】
【０００４】  次のような手段を発見した。以下、図面の記号により説明する。
（イ）傘布３の中央に、多角形又は円形の開口部、窓４を開ける。
（ロ）窓４の上方に、防水用の窓カバー５を装着する。窓４よりも、広く大きく内周を縁高に作る。
（ハ）窓カバー５の上方に、筒形の抑え筒６を設置する。
（ニ）抑え筒６の上部にかぶさるように、キャップ７を設置する。キャップ７は柄１の石突きでもある。
【発明の効果】
【０００５】  このような構造であるから、傘の内部に入り込んだ強風は天頂部に集中して窓カバー５を押し上げて、生じた隙間から直ちに外部へ排出される。排出が終ると窓カバー５は元の位置へ、窓カバー５自体と抑え筒６の重さ及び風圧の低下で速かに下がるので、雨に降り込まれることはない。
窓カバー５は、風圧で吹き上げられた時、上にある抑え筒６更にはキャップ７に妨害されて、柄１の先端から抜け飛ぶことはない。窓カバー５は、風の強弱により上下に浮動を繰返して、風の排出運動を続行する。従って、これまでの傘のように、行き処を失った風が出口を求めて傘を揺り動かし、人間をも揺り動かす異常事態が起きる心配がなくなった。
何よりも特筆できるのは、極めて簡単な構造なので、長い間使っていても、故障する箇所がないことである。
【発明を実施するための最良の形態】
【０００６】  傘布３の中央に、円形又は多角形の開口部である窓４を、傘の大きさや形に応じて開け、窓カバー５の形状も窓４に対応して決める。窓カバー５には、柄１を通るための穴が開けられるが、風による上下動がスムースに出来るだけの寸法があればよく、穴の周縁を柄１との毛細管現象による雨水の内部への侵入を防ぐため、数センチ程度高くしておく。
窓カバー５の素材は、布・ゴム・樹脂などで耐水性に富むものが良い。
窓カバー５の上に、筒形の抑え筒６を乗せるが、傾斜は付けても付けなくてもよい。抑え筒６が上下動を繰返す間に、その上端部までが雨水に濡れることもあり得るが、他物（後述のキャップ７）との間に表面張力を発生させないように小さな突起を上端部に付けておく。
抑え筒６により、窓カバー５と柄１の間にある隙間への雨水の吹き込みは生じず、風の排出が終って窓カバー５が落下する時、抑え筒６に一定の重さがあるのでその落下を助ける。
更に抑え筒６は、傾斜を付けた場合、雨が止んで傘を疊む際に役立つ。即ち、柄１の持ち手方向に、抑え筒６を押し上げ又は押し下げて、窓カバー５を柄１に密着するよう収束することが出来るので、ひらひらはなく、持ち歩き易い。
抑え筒６には、以上に述べた働きがあるので、アルミ・樹脂など軽くて丈夫で滑りの良いものが適している。
抑え筒６の上方に、柄１の先端で石突きを兼用するキャップ７を、かぶせ付ける。窓カバー５、抑え筒６、キャップ７のすべてが交換できるよう、ねじ方式なり圧着式なりその他でよいが、キャップ７を柄１に取付ける。
キャップ７は、下部が抑え筒６の上端部を内包するように作られるので、雨水は抑え筒６内に降り込まず、素材は、木、金属、ゴム、樹脂などで耐久性のあるものがよい。尚、上記の窓カバー５と押え筒６と一体化することも、考えられることではあるが、これはコスト面との相談となる。
【実施例】
【０００７】  傘布３の中央に、円形又は多角形の窓４を開け、対応する窓カバー５を窓４の上に乗せる。窓カバー５の柄１を通すために開けた穴の周縁は、数センチ高くする。窓カバー５の上に、柄１を介して傾斜の付いた抑え筒６を設置する。
柄１の上端に石突きを兼ねたキャップ７を、かぶせ付ける。キャップ７は、弾丸型で下部が空洞であり、抑え筒６の上部が内包されるような高さに、位置付けてある。上記は実施の一例である。
【図面の簡単な説明】
【０００８】
【図１】  本発明の実施の一例を示す正面図である。
【図２】  図１の窓カバー５及び抑え筒６を外した図である。
【図３】  本発明の要部の断面図である。
【図４】  本発明の窓カバー５と抑え筒６を一体化した実施例の断面図である。
【図１】
2010104752.tif 000003
【図２】
2010104752.tif 000004
【図３】
2010104752.tif 000005
【図４】
2010104752.tif 000006
【手続補正書】
【提出日】平成20年11月6日(2008.11.6)
【手続補正１】
【補正対象書類名】明細書
【補正対象項目名】０００１
【補正方法】変更
【補正の内容】
【０００１】  この発明は、傘布に風を排出するための窓を開け、この窓に対応させた窓カバーを浮動自在に配置した傘に関するものである。
(57)【要約】【課題】  本発明は、介護における排泄ケアのための排泄用補助機を提供する。【解決手段】上部テーブルが上下に昇降自在に成るようにし、下部足置き板を設け、４本の柱を介して、立体的に組み立て、中間に中間板をもうけ、この中間板上にひざ太もも支え具、尻上げ受け具を設け、下部足置き板に複数のキャスターを設けたことを特徴とする。【選択図】図１
2010104739.tif 000002
【特許請求の範囲】
【請求項１】
上部テーブルが上下に昇降自在に成るようにし、下部に足置き板を設け、４本の柱を介して立体的に組み立て、中間に中間板を設け、この中間板上に、ひざ太もも支え具、尻上げ受け具を設け、下部足置き板に複数のキャスターを設けたことを特徴とする排泄用補助機。
【発明の詳細な説明】
【技術分野】
【０００１】  本発明は、介護における排泄ケアのための排泄用補助機に関するものである。
【背景技術】
【０００２】  従来、介護の中でも特に苦手な分野であって、未だ多くは人の手、労力のみに頼って行われ、改善しにくい部である。
【発明の開示】
【発明が解決しようとする課題】
【０００３】  立とうとする意思を持たない人を立たせることは、体重が非常に重く、便失禁時の移動の難しさがある。
たとえば、トイレでの排泄では、片手で体を支え、片手でオムツ、ズボンの着脱とそれは大変な労力である。
そこで、人間としての精神的な面もあり、理想は自力排泄につなげたい。
本発明は、以上の問題を解決するものである。
【課題を解決するための手段】
【０００４】  上部テーブルが上下に昇降自在に成るようにし、下部足置き板を設ける。
４本の柱を介して、立体的に組み立て、中間に中間板を設ける。
この中間板上にひざ太もも支え具、尻上げ受け具を設ける。
下部足置き板に複数のキャスターを設ける。
以上の構成よりなる排泄用補助機。
【発明の効果】
【０００５】（イ）オムツ、ズボン等の着脱が楽に行える。
（ロ）ベッド、トイレ、車椅子、失禁時の移動等、素早く行え、労力が改善された。
（ハ）失禁時の後始末には、介護を受ける人の後ろで処置する形で、その間対面すること    はなく、汚れた体を大きく動かすこともなく、非協力的行動も本発明の形態では、起    しようなく、介護を受ける人の羞恥心も和らぎ、介護する人もやり易く楽である。
精神的な面、労力も解決した。
（ニ）トイレに誘導されても排泄のタイミングが合わないとき、自力排泄を促すための時    間、その間人が付いていなくても安全である。
【発明を実施するための最良の形態】
【０００６】  以下、本発明の実施の形態を説明する。
上部にバネを設けた柱（３）を設ける。
上部テーブル（１）が上下に昇降自在と成り、下部足置き板（２）を設ける。
４本の柱（３）を介して、立体的に組み立て、中間に中間板（８）を設ける。
中間板（８）はひざから太もも間の位置であり、尻上げ受け具（１０）を設ける位置にも適している。
この中間板上にひざ太もも支え具（９）、尻上げ受け具（１０）を設ける。
足置き板（２）に複数キャスター（１１）を設けたことを特徴とする。
本発明は以上のような構造である。
本発明を使用するときは、図２に示すように、伸縮自在の安全帯（４）を片側テーブル（１）に固定し、伸ばしながらもう一方の手で介護の人の背から脇に廻しかけ引き寄せ、もう片側に固定すれば安全である。
握り具（５）を握らすことで上体が低く寄りかかりの形となり、マクラ（６）は、自然な形で使用できる。
中間板（８）の位置はひざから太もも間の高さに設けられ、上体が寄りかかることで、自然に支えられ、ひざ折れ（ガクッとくる状態）を防げる。
昇降レバー（７）を動かし、上部にバネを設けた柱（３）が同時に作動、上部テーブル（１）が上昇し、容易に立ち上がることができる。
体は、くの字の形態となり、着脱に理想的な形である。
図３に示すように、上部にバネを設けた柱（３）を下げ、テーブル面（１）が低くなり、ベッド、便器の高さとなり、移動が楽に行える。
トイレでの排泄のタイミングを計るためのゆとりの時間には、人が付いていなくても安全であり、自力排泄に適す。
図４に示すように、尻上げ受け具（１０）は重い人のために設けられ、常に使用できるよう前柱（３）に強固固定具（１３）で取り付け、自在に取り外しができるよう設け、持ち手（１２）で、伸縮自在のベルト（１７）を伸ばしながら前かがみのお尻に後ろから尻受け（１５）を引き込み、上部にバネを設けた柱（３）と同時に使用、その瞬時に伸縮自在のベルトの補助で、より強力となり立ち上がりが容易になる。
必要に応じ立ち上がり後に固定棒（１４）を固定棒引っ掛け部（１６）にかけ、お尻を支えることもできる。
下部足置き板（２）に４つのキャスター（１１）を設け、体の一部に両手を添え誘導し、介護者の体で押すように移動する。
【図面の簡単な説明】
【０００７】
【図１】  本発明の全体の斜視図である。
【図２】  本発明の使用状態を示した説明図である。
【図３】  本発明の使用状態を示した説明図である。
【図４】  本発明の使用状態を示した説明図である。
【図５】  本発明の尻上げ受け具の説明図である。
【符号の説明】
【０００８】      １  上部テーブル
２  足置き板
３  上部にバネを設けた柱
４  伸縮自在の安全帯
５  握り具
６  マクラ
７  昇降レバー
８  中間板
９  ひざ太もも支え具
１０  尻上げ受け具
１１  キャスター
１２  持ち手
１３  強固固定具
１４  固定棒
１５  尻受け
１６  固定棒引っ掛け部
１７  伸縮自在のベルト
【図１】
2010104739.tif 000003
【図２】
2010104739.tif 000004
【図３】
2010104739.tif 000005
【図４】
2010104739.tif 000006
【図５】
2010104739.tif 000007
(57)【要約】【課題】  化粧品を買ったけれど、実際使用してみると気に入らなかった。又、ヘアースタイルを変えたけれど切りすぎた、染めた色の選択に失敗した。この様な不都合を解決すること。【解決手段】    実際の自分の顔をパソコン画面上に立体画像として写し出し、その画像に実際の化粧手順に従い、実際の化粧品の色を用い、化粧をシミュレーションする。又、ヘアースタイルに関しても、好きな長さに切る、希望の色に染める、カールさせる等のシミュレーションをする。この様に自分自身の立体画像にシミュレーションを行なう事によりこの課題を解決する。【選択図】図３
2010104737.tif 000002
【特許請求の範囲】
【請求項１】
パソコン画面に顔の立体画像を写し出し、その画面に化粧品と同じ色を着色し、実際の化粧と同じプロセスで自在に化粧を仕上げる事を特徴とするシミュレーションソフト
【請求項２】
パソコンに顔及び頭部の立体画像を写し出し、その画像の頭髪をカットしたり、伸ばしたり、色を染めたりヘアースタイルを自在に変化させる事を特徴とするシミュレーションソフト。
【発明の詳細な説明】
【技術分野】
【０００１】  本発明は、化粧とヘアースタイルをシミュレーションする事に関するものである。
高価な化粧品を買わなくても、自分に似合う色や製品を試す事を可能にし、自分の髪の毛を実際に切ったり、伸ばしたり、染めなくても似合う長さやスタイルを選ぶ事をできる様にするものである。
【背景技術】
【０００２】  特になし。
【発明の開示】
【発明が解決しようとする課題】
【０００３】  従来では、化粧品を選ぶ際は見本を見て選択していたが、実際に試す訳では無く、試供品を試す場合もそれ程、数量や種類も多く無く、買ってみて気に入らない等の事も多かったと思われる。高価な化粧品であり、非常に不経済である。すなわち本発明は、自分に最も適した化粧品の選択に迷ってしまう、又、誤って買って結局使用しなかったと言う不都合を解決する事を課題とする。（請求項１）【０００４】  又、ヘアースタイルに関しても、髪を切ったが短すぎた、染めたけれど色が気に入らない。或いは、美容師に言葉で説明したけれど、終わってみたらイメージと違っていた等の事も多かったと思われる。髪が伸びるまで時間が掛かるし、セットし直す事は非常に不経済である。すなわち本発明は、髪を切りすぎた、染めた色が気に入らなかった、美容師に自分の意思がうまく伝わらなかったと言う不都合を解決する事を課題とする。（請求項２）
【課題を解決するための手段】
【０００５】  この課題を解決するための請求項１の発明は、自分の顔をコンピューター画面上に立体画像として再現させ、そこに市販されている化粧品と同じ色見本を、実際の化粧手順に従って着色し、化粧してゆく事を特徴とするシミュレーションソフトである。様々な種類の色や品、方法を試す事により、最も自分に適した化粧品、化粧方法を選択する事ができる。【０００６】  また、請求項２の発明は、自分の頭部をコンピューター画面上に立体画像として再現させ、そこに予め数種のヘアースタイル見本を用意し、それをコンピューター画面上の頭部に被せ、細部のカット、染色、カール等を手動で行なえる事を特徴とするシミュレーションソフトである。自分なりに様々にアレンジする事により、最も気に入る、似合うヘアースタイルを選択できる。
【発明の効果】
【０００７】  本発明により、化粧品を購入する事無く、パソコン画面上にて試す事が可能となり、最適な化粧品を選択する事ができる。【０００８】  又その画像を印刷し美容師に見せる事により、切り過ぎた、色が気に入らない、イメージと違った、という不都合を解決する事ができる。
【発明を実施する為の最良の形態】
【０００９】  図１は、パソコン画面に人物の顔及び頭部を立体画像として、写し出す為の写真を撮影するカメラである。周囲より撮影した写真をコンピューターで画像処理して立体画像を作る。
【００１０】  図２はパソコン画面である。画面上に立体画像を写し出し、合わせて化粧手順のフローチャートを写し出す。フローチャートの手順をクリックすると、その部分を化粧する為の化粧品サンプルが照会される。
【００１１】  図３はサンプル照会の図である。例として口紅を照会した画像である。色見本としてのサンプル図であり、その中より選択しクリックする事で決定し、シミュレーションを行なう。
【００１２】  ヘアースタイルに関しても、フローチャートの中にショートヘアー、ロングヘアー等の項目を入れ、様々なサンプルよりヘアースタイルを選択する。又、決定したヘアースタイルにカット、カール、染色等の補正を加えられるソフトとする。
【産業上の利用可能性】
【００１３】  本発明に係る化粧シミュレーションソフトは、色々な化粧品、化粧法、ヘアースタイルをパソコン画面でためして楽しむ事が出来るだけでなく、化粧品の宣伝にも利用する事が可能であり、産業上の利用可能性を有する。
【図面の簡単な説明】
【００１４】
【図１】利用者の顔の立体画像を作る為の写真を撮影する。
【図２】パソコン画面上の立体顔写真とフローチャート図。
【図３】パソコン画面上の立体顔写真とフローチャート図の口紅の項目を選択した際の口紅サンプル図。
【符号の説明】
【００１５】１    顔写真を撮影する際のカメラ。（周囲数箇所から撮影する事により立体化する）
２    パソコン上で立体化された顔の画像
３    化粧フローチャート図
４    化粧フローチャート図より選択された口紅サンプル図
【図１】
2010104737.tif 000003
【図２】
2010104737.tif 000004
【図３】
2010104737.tif 000005
(57)【要約】【課題】本願発明は、電柱に設置し、風力により自動的につた等を切断し必要以上つた等が絡まらないようにする電柱の剪定具の提案にある。【解決手段】本発明は、電柱に絡まり成長する植物等の剪定具であって、当該剪定具は風力により回転する回転部と、その回転部に設けられた刃と、電柱に固定する固定具からなる、電柱に絡まり成長する植物等を自動的に切断する電柱の剪定具である。つた等が延びすぎた時、その芽を摘むため風に依って回転する鋸状の回転刃によって植物の伸びすぎた芽が切られ摘まれるようにした。【選択図】図1
2010104319.tif 000002
【特許請求の範囲】
【請求項１】
風力により回転する回転部と、その回転部に設けられた刃と、電柱に固定する固定具からなる、電柱に絡まり成長する植物等を自動的に切断する電柱の剪定具。
【発明の詳細な説明】
【技術分野】
【０００１】
本発明は、電柱に絡まるつた・くず類を剪定するための剪定技術に属する。
【背景技術】
【０００２】
都市化されていない地方に設置された電柱は、つた、くず等が電柱に絡まり、景観を損ねると共に、絶縁不良の原因になったり、時には電線にも絡まり、その重みで電線が垂れ下がったりなどの不都合が起こる。
【０００３】
これら電柱に絡まるつた・くずなどの植物は、茂りすぎた場合でも山間地では足場の問題などで、取り除き作業が極めて困難であった。人手以外に自動的に取り除く方法は知られていない。
【発明の開示】
【発明が解決しようとする課題】
【０００４】
本願発明は、電柱に設置し、風力により自動的につた等を切断し、必要以上つた等が絡まらないようにする電柱の剪定具の提案にある。
【課題を解決するための手段】
【０００５】
本発明は、植物等の剪定具であって、当該剪定具は風力により回転する回転部と、その回転部に設けられた刃と、電柱に固定する固定具からなる、電柱に絡まり成長する植物等を自動的に切断する電柱の剪定具である。自動的に伸びすぎたつた等の植物を切断するため風力で回転する刃を設けた。
【発明の効果】
【０００６】
電柱に絡まるつた類を必要以上絡まらないよう風力により回転する刃を設けたため、延びてくるつた類を切断することができる。
【発明を実施するための最良の形態】
【０００７】
以下本発明を図によって、より詳細に説明する。
図１は、本発明に係る電柱の剪定具の概念図である。図1は電柱を中心としてその周囲を回転する剪定具の例を示している。図１ａ、図１ｂはそれぞれ平面図、A-A’線での断面図を示している。図に示すように、本剪定具は電柱の周囲を回転する回転軸と、風力により回転するよう回転軸の周囲に回転羽と回転羽に設けた刃からなる。本剪定具は電柱を中心として電柱の周囲を回転する。回転羽そのものに刃を設けてもよいが、本例では刃は回転軸の下方に円盤を設け、その円盤に鋸状の刃を設けている。従い、風を受け鋸状の刃が回転し、つた等のつる性の植物が本剪定具に近づくと切断されるようになっている。電柱との固定部は回転軸の内部にベアリングを介して設けた固定用の固定軸を介して電柱に固定することができる。
【０００８】
図２は、本発明に係る電柱の剪定具の概念図である。本剪定具は、電柱の周囲で回転する剪定具の例を示している。図２ａ、図２ｂはそれぞれ平面図、A-A’線での断面図を示している。本剪定具は回転軸が電柱の周囲にあり、風力により回転するよう中心軸にベアリングを介した回転軸に回転羽が設けられている。本剪定具は電柱の周囲に必要な数設けることができる。前例と同様、回転羽そのものに刃を設けてもよいが、本例では刃は回転軸の下方に円盤を設け、その円盤に鋸状の刃を設けている。従い、風を受け鋸状の刃が回転し、つた等のつる性の植物が本剪定具に近づくと切断されるようになっている。電柱への固定は中心軸に設けた固定部で実施可能であり、本例では電柱の周囲を囲む帯である。
【０００９】
図３、図４は電柱に前記図１、図２に示した本剪定具を設けた概念図である。
本剪定具を固定具により電柱へ固定する。人の背よりも高く、電柱に設けられたトランスなどの機器の下方に固定する。固定具は先述したものに限らず既存の技術を適宜使用可能である。
【００１０】
本剪定具の材質は樹脂、ステンレススチール、アルミニウムなどが使用可能であるが、使用期間、壁面の気象条件などを考慮して適切な材質を選ぶことができる。鋸部の大きさ間隔などは対象となる植物の性状に応じて変えることができる。
【図面の簡単な説明】
【００１１】
【図１】は、本発明の電柱の剪定具を示す概念図である。
【図２】は、本発明の電柱の剪定具にかかわる他の例を示す概念図である。
【図３】は、図１に示す剪定具を電柱に固定した状態を示す概念図である。
【図４】は、図２に示す剪定具を電柱に固定した状態を示す概念図である。
【符号の説明】
【００１２】
１  剪定具
１１  固定軸
１２  回転軸
１３  羽根
１４  刃
１５  電柱への固定具
２  電柱
【図１】
2010104319.tif 000003
【図２】
2010104319.tif 000004
【図３】
2010104319.tif 000005
【図４】
2010104319.tif 000006
(57)【要約】【課題】  深むきができるようにピーラーの刃体の皮むき刃に、深むき刃を設け、更にスムースに皮むきできるように常に刃体が定位置に復帰するピーラーを提供する。【解決手段】  刃体と該刃体の両端を支持するアームと、該アームを保持固定するハンドルとを備え、刃体は切削部とガイド部及び前記アームに支持される支持部から構成されていて、前記切削部には平むき刃と深むき刃が設けられ、前記ガイド部には平むきガイドと深むきガイドが設けられているピーラー。  また、前記刃体の両端の支持部を支軸とした刃体においては、該両支軸を軸に刃体を回動可能とする軸受を持つアームに、回動可能な刃体を定位置に戻す機能を有する緩衝ストパーが設けられているピーラー。【選択図】    図1
2010104400.tif 000002
【特許請求の範囲】
【請求項１】
刃体と該刃体の両端を支持するアームと、該アームを保持固定するハンドルとを備え、刃体は切削部とガイド部及び前記アームに支持される支持部から構成されていて、前記切削部には平むき刃と深むき刃が設けられ、前記ガイド部には平むきガイドと深むきガイドが設けられていることを特徴とするピーラー。
【請求項２】
前記刃体の両端の支持部を支軸とした刃体において、該両支軸を軸に刃体を回動可能とする軸受を持つアームに、回動可能な刃体を定位置に戻す機能を有する緩衝ストパーが設けられている請求項1記載のピーラー
【発明の詳細な説明】
【技術分野】
【０００１】
本発明は深い窪みのある食材の皮むきにも対応できるピーラーに関するものである。
【背景技術】
【０００２】
平たい表面の皮をむくピーラーや、該ピーラーにじゃが芋等の芽を取る機能を設けたピーラーは市販されているが、深い窪みの皮むきに対応したピーラーは存在しないため、深い窪みの皮むきをする場合は包丁等でむくのが一般的である。
【０００３】
回動可能な刃体を持つピーラーにおいて、刃体の回転角度が大きくなると刃体がストパーに当たり刃体は停止するが、刃体が初期状態である元の皮むき開始位置に戻らない場合がある。
【発明の開示】
【発明が解決しようとする課題】
【０００４】
便利なピーラーを使っていながら、更に包丁等を使用しての皮むきは手間がかかり煩わしい。
又、ピーラーの刃体が皮むき開始位置に戻らない場合は次の皮むきストロークに移るときに刃体を元に戻す操作が必要になるために連続してスムースに皮むきができなくなり不便である。
【課題を解決するための手段】
【０００５】
本発明の刃体の切削部には平むき刃と深むき刃が設けられ、刃体のガイド部には平むきガイドと深むきガイドが設けられていることを特徴とするピーラーである。
【０００６】
刃体の両端の支持部を支軸とした刃体において、該両支軸を軸に刃体を回動可能とする軸受を持つアームに、回動可能な刃体を定位置に戻す機能を有する緩衝ストパーが設けられている前記記載のピーラーである。
【発明の効果】
【０００７】
１つのピーラーで平むきと深むきが容易にでき、本来ピーラーに付属の芽取り機能は深むき刃で代用できるため、包丁の使用も不要となり皮むきの効率が良く便利である。
【０００８】
更に、前記支持部を支軸とした刃体において、刃体が常に皮むき開始位置に戻るのでスムース皮むきができる。
【発明を実施するための最良の形態】
【０００９】
以下、本発明の実施の形態について説明する。
図1及び図２に示すように、刃体1、アーム19,20、ハンドル21、緩衝ストッパー13,14から構成されていて、刃体1は金属板を材料とし、該金属板は長板で中央に長孔2を有していて、前記長板の長手方向の両端にはそれぞれ長手方向に伸びる支軸11,12があり、該両支軸11,12を軸に刃体1が回動可能になっていて、長孔2の一方の縁側に切削部3を有し、もう一方の縁側にはガイド部4を有している。
更に切削部3は平むき刃5に連なる深むき刃6を有し、ガイド部4は平むきガイド7に連なる深むきガイド8を有していて刃体1の両端の支軸11,12がアーム19,20に設けた軸穴15,16で支持され、前後方向に回転できるようになっている。
【００１０】
刃体1を前方向に回転させると、支軸11の付け根の肩9がアーム19の留め穴17で固定された板バネである緩衝ストッパー13に接触し、更に前方向に回転させていくと緩衝ストッパー13の反発力は徐々に強くなり刃体1を後方に戻す力が強くなっていく、同様に刃体1を後方向に回転させると刃体1の肩10がアーム19の留め穴18で固定された板バネである緩衝ストッパー14に接触し、更に後方向に回転させていくと緩衝ストッパー14の反発力は徐々に強くなり刃体1を前方に戻す力が強くなっていき、常に刃体1を中立状態である皮むき開始位置へ戻している。
【００１１】
次に使用例について説明する。
図３はじゃが芋22の皮を深むきしている状態の拡大断面図である。
ハンドル21を握り、じゃが芋22の窪み24の端に深むき刃6を当てて、若干下方向に力を加えながら手前後方に引いて行くと、深むきガイド8が窪み24に沿って移動し、これに追従しながら深むき刃6は窪み24の部分の皮をむきながら移動し、やがて窪み24の部分の皮は、むき皮23として切り取られる。
【００１２】
本発明の他の実施形態における説明をする。
図4の刃体1の切削部3及びガイド部4は前記説明の実施形態と同様であるが、刃体1の両端がアーム19の固定穴27,28で留められている形式であり、前記説明の実施形態との比較においては刃体の自由度は劣るが単純形式ゆえに製造コストが安い利点がある。
【産業上の利用可能性】
【００１３】
本発明のピーラーは深い窪みのある食材の皮むきができ、使いやすいピーラーを提供することができる。
【図面の簡単な説明】
【００１４】
【図１】本発明の分解斜視図
【図２】本発明の斜視図
【図３】本発明の断面拡大斜視図
【図４】本発明の他の実施形態斜視図
【符号の説明】
【００１５】
1  刃体
2  長孔
3  切削部
4  ガイド部
5  平むき刃
6  深むき刃
7  平むきガイド
8  深むきガイド
9  肩
10  肩
11  支軸
12  支軸
13  緩衝ストッパー
14  緩衝ストッパー
15  軸穴
16  軸穴
17  留め穴
18  留め穴
19  アーム
20  アーム
21  ハンドル
22  じゃが芋
23  むき皮
24  窪み
【図１】
2010104400.tif 000003
【図２】
2010104400.tif 000004
【図３】
2010104400.tif 000005
【図４】
2010104400.tif 000006
(57)【要約】      （修正有）【課題】複数の爪付き幅広畝苗植え穴開け農具の提供。【解決手段】中空軸の上部にハンドルを設け、中空軸の下部に複数の等間隔の爪付き横棒を設け、その爪毎の中間に爪付き腕棒を装着、更に中空軸下部の爪に爪付き腕棒を付けた。【選択図】図１
2010104352.tif 000002
【特許請求の範囲】
【請求項１】
中空軸の上部に棒状のハンドルを設け、中空軸の下部に複数の爪をつけた横棒を設け、その爪ごとの中間に爪つき腕棒を装着し、更にその中空軸下の爪横に１本の爪つき腕捧を装着したことを特徴とする幅広畝苗植え穴開け農具。
【発明の詳細な説明】
【技術分野】
【０００１】本発明は、幅広畝苗植え穴開け農具に関するものである。
【背景技術】
【０００２】従来、あったのは一列のみで左右は等間隔で穴開けできたが前後は目測で使用されていた。
【発明が解決しようとする課題】
【０００３】そのため次のような問題点があった。
爪が一列のみで効率が悪く、しかも前後の距離を目測で開けていたので前後の穴は等間隔でなかった。
【課題を解決するための手段】
【０００４】中空軸の上部に棒状のハンドルを着け、中空軸の下部に等間隔の爪を複数付けた横棒を設ける。その爪の中間毎に同間隔の腕爪を設ける。更に中空軸下部爪の横に２倍の長さの腕爪を一本装着（基準点）する。
以上を特徴とする幅広畝苗植え穴開け農具である。
【発明の効果】
【０００５】穴開け爪を２列にしたことで能率が向上し、また基準点を設けたことで前後左右等間隔に苗植え穴開け作業ができる。
【発明を実施するための最良の形態】
【０００６】以下、本発明の実施の形態について説明する。
（イ）中空軸▲１▼の上部に棒状のハンドル▲２▼を設け、その下部に４ｃｍの爪▲４▼を１５ｃｍ間隔で５本着けた６０ｃｍ横棒▲３▼を設ける。
（ロ）横棒▲３▼の爪中間毎に１５ｃｍの棒先端に（イ）項と同じ４ｃｍの爪を付けた腕棒▲５▼を４本設ける。
（ハ）中空軸下部の横棒中心に腕棒▲５▼の２倍の長さ３０ｃｍの基準点となる４ｃｍの爪をつけた腕棒▲６▼を装着する。
本発明は以上のような構成で、これを使用するときはハンドル▲２▼を握り幅広畝の中心に押し立てる。
次に▲ａ▼点を▲ｂ▼点の基準点に押し立て、これを繰り返し使用すれば前後左右１５ｃｍ間隔で苗植えの穴開けが１回ごとに９穴できる。
また、３０ｃｍ間隔で植えるときは２列目の▲５▼は無視して▲３▼の１列目の爪のみを使って交互に１爪飛ばして植える。この方法では３穴しかできない。
この農具で苗植えできるものにはタマネギ、ニンニク、白菜、キャベツ、高菜、小松菜、チンゲンサイ、大根、春菊等の野菜や、花卉などがありいずれも１５ｃｍ及び３０ｃｍ間隔で植える事ができる。
【図面の簡単な説明】
【０００７】
【図１】本発明の斜視図
【図２】本発明の側面図
【図３】本発明の穴開き図
【符号の説明】
【０００８】１    中空軸
２    ハンドル
３    爪付き横棒
４    爪（全て４ｃｍ）
５    １５ｃｍ爪つき腕棒
６    ３０ｃｍ爪つき腕棒
ａ    中心点
ｂ    次の基準点
【図１】
2010104352.tif 000003
【図２】
2010104352.tif 000004
【図３】
2010104352.tif 000005
(57)【要約】【課題】蓋付撒餌籠の底部にある錘を利用し、撒餌籠蓋を開閉して、海底で撒餌を放出し集魚して釣る器具を提供する。【解決手段】撒餌籠底部の錘に、鋼線を固定し、籠底部の中心に短管孔を付けて、短管を通じて、籠本体の中に通し、籠本体の中で円形プラスチック、及び、撒餌籠蓋に取り付けられているジョイントに結合さして、撒餌籠蓋の開閉をすることを特徴とする撒餌籠。【選択図】図１
2010104354.tif 000002
【特許請求の範囲】
【請求項１】
蓋付撒餌籠の底の錘を鋼線で固定し、撒餌籠底部の中心にある短管を通じて、籠内部にある円形プラスチックの中心部をも固定し、上部の蓋裏に取付けてあるジョイントに、鋼線を取付け開閉が出来るようにして使用することを特徴とする蓋付撒餌籠。
【発明の詳細な説明】
【技術分野】
【０００１】本発明は、釣人が釣場に携帯し使用出来る蓋付撒餌籠に関するものである。
【背景技術】
【０００２】現在、特に好まれているアウトドアーレジャーの中でも、夏場でのレジャーは、老若男女に好まれているのが海辺での釣りであり、特に防波堤での釣りは、多種類の魚が釣れているのが現状である。
【発明の開示】
【発明が解決しようとする課題】
【０００３】それらには、次の様な問題点があった。
（イ）従来の撤餌籠は、溶解したる撒餌をバケツから入れて、海中に投入したる時には、撒餌が、海中上層部で溶解拡散し、それらを上層部に群れをなして回遊している小魚に、撤餌の大半を食されてしまっている。此れらの撒餌も集魚には良いが、釣人が狙って居る中層以下、底を回遊している魚を釣るのが難しいのが現状である。
（ロ）此れら溶解したる撒餌の海中での拡散を防止し、如何にして海中中層部以下、底での拡散撒餌をするには、従来の撒餌籠の上部に蓋を付け、撒餌籠の容器の周囲に、海水が排水できる孔を開けて撒餌だけが撒餌籠の中に残る様にする。
（ハ）撒餌籠の中に残った撒餌を、如何に海中下層から底で撒餌を放出するかを考えたのである。
本発明は、これらの問題点を解決するためになされたものである。
【課題を解決するための手段】
【０００４】当該蓋付撒餌籠の底の錘を鋼線で固定し、撒餌籠底の中心を通じて、籠内部にある円形のプラスチックの中心部をも固定し、籠上部にある蓋のジョイントに、鋼線を取付け開閉が出来るようにして使用することを特徴とする蓋付撒餌籠である。
【発明の効果】
【０００５】本発明に係る蓋付撒餌籠の形態は、現在、一般に市販されているサビキ用撤餌籠に似ている。他には海中の中層以上を回遊している魚、海底の岩礁の穴に居る魚、又、海底から１ヒロ〜２ヒロの処を回遊している魚等を集魚する為に使用する撤餌籠等もある。これらは、シラサエビ等を使用して、大形魚を集魚して釣る為の撒餌籠であるが、当該蓋付撤餌籠は、これらの機能をも具備し、且つ、サビキ釣りにも適用するように構成されている。
【発明を実施するための最良の形態】
【０００６】以下、本発明の実施の形態について説明する。
（イ）円形籠（４）の本体周囲に、籠の中の海水が流通するように、１ｍｍ位の極小孔を開けて、円形籠本体の底部の中心に、短管（１２）を取り付けて、錘（７）に固定したる鋼線（８）を短管（１２）を通じて籠本体（４）の内部に鋼線（８）を通す。
（ロ）籠本体（４）に通された鋼線（８）を籠内部に組入れられている厚さ１ｍｍ程度の円形プラスチック（１１）の中心部（１０）で固定して通し、鋼線（８）の先端が、籠の蓋（５）に取付けられているジョイント（９）と結合して籠蓋（５）が開いた時、円形プラスチック（１１）が、撒餌本体（４）の中で３／２以上の位置の処にあるように、鋼線（８）と円形プラスチック（１１）とを固定する。
（ハ）撤餌籠内部の円形プラスチック（１１）は、錘（７）と鋼線（８）とで固定されているので、撒餌を溶解したバケツの中で、撒餌籠（４）を上げ下げすると、撤餌籠本体（４）と籠蓋（５）も蝶番（１４）にて連結しているので、撒餌籠本体（４）がバケツの底に接底すれば、撒餌籠底にある錘（７）が上下運動に寄り籠蓋（５）も開閉するので、溶解した撒餌が自動的に籠の中に入る。その撒餌籠本体（４）をバケツから釣り上げれば、籠本体の底部の錘（７）が下方に下がるので、錘（７）と連結している蓋（５）が撤餌本体（４）の上部を自動的に蓋（５）をするのを確認して、撒餌籠ほバケツから吊り上げる。
（ロ）吊り上げられた撒餌籠（４）の底部には錘（７）が下方に下がっているのを、釣場を決めた場所の海中に入れて、撒餌籠（４）が海底に接地した時には、籠底部にある錘（４）が押上げられるので、錘（７）と連結している円形プラスチック上に乗っている撒餌も上方に押上げられて、撒餌籠（４）の上部の蓋（５）が開いているので、撒餌が海中に流れ出て拡散する。
（ハ）撒餌籠本体（４）の底部の錘（７）の左右には、海底にいる魚を釣る為に、餌の付いた釣糸を掛ける金具（１３）を具備している。
【図面の簡単な説明】
【０００７】
【図１】本発明の正面図である。
【図２】本発明の側面図である。
【図３】本発明の斜視図である。
【符号の説明】
【０００８】１      フック孔
２      フック
３      フックホルダ−
４      撒餌籠本体
５      撒餌籠蓋
６      極小孔
７      錘
８      鋼線
９      開閉部ジョイント
１０    鋼線、プラスチック結合部
１１    円形プラスチック板
１２    短管
１３    釣金具
１４    蝶番
【図１】
2010104354.tif 000003
【図２】
2010104354.tif 000004
【図３】
2010104354.tif 000005
(57)【要約】      （修正有）【課題】自分がやりたいときに何時何処ででも自分でリハビリが行え、機能回復を早め、スポーツ選手等も同じように何時何処ででも指や手の握力又は腕を鍛えることができ、作業療法士不足も解消でき、人件費の削減にも役立つ機能回復補助具を提供する。【解決手段】機能回復あるいは強化したい手にはめた５指手袋１と、この手袋の手首内側部分２に一端を固定し、そこより伸び出た５本のゴム紐の他端を手袋の５指先端に各々繋ぎ、かつ各５指の先端相互間を１本のゴム紐３で環状に繋いだ構成とする。【選択図】図１
2010104511.tif 000002
【特許請求の範囲】
【請求項１】
機能回復あるいは強化したい手にはめた５指手袋と、この手袋の手首内側部分に一端を固定し、そこより伸び出た５本のゴム紐の他端を手袋の５指先端に各々繋ぎ、かつ各５指の先端相互間を１本のゴム紐で環状に繋いだものであって、前記ゴム紐の張力に逆らって握った手を開いたり握ったりするか、又は指と指の相互間を開いたり閉じたりすることで指や手及び腕の機能回復あるいは強化を図る機能回復補助具。
【発明の詳細な説明】
【技術分野】
【０００１】
本発明は、負傷した人の指、手および腕などの機能回復を図る上で有効な補助具であり、更に詳しく述べれば医療の現場ではリハビリテーション費用の削減を、あるいは野球等のスポーツ選手においては指のインナーマッスルやアウターマッスルを鍛え、指及び手の握力や腕の筋力強化を図ることの出来る補助具に関するものである。
【背景技術】
【０００２】
機能障害者、例えば脳血栓や脳梗塞等の脳の障害に起因して手に不自由を生じた人が多数いる。本発明はこれらの人の指や手の機能回復を早めるのに役たち、あるいはスポーツ選手等の指及び握力や腕の筋力強化を図るのに適した補助具を提供するものである。
【０００３】
しかしこれまでのこの種の指あるいは手の機能回復補助具は市販商品には見当たらず、あってもテニスボールのような軟らかいものや小さめのゴムボールがあるだけであった。そしてこれらボールを用い各人に応じてボールを強く握ったり、離したりする動作をくり返すことで機能回復(リハビリテーシヨン)がそれぞれなされていた。
【発明の開示】
【発明が解決しようとする課題】
【０００４】
本発明は、このようなこれまでの障害者の状態やスポーツ選手の強化部分に応じた機能回復補助具がないという課題を解決し、障害者にとっては指あるいは手の機能回復を早め、スポーツ選手等にとっては筋力強化に適した機能回復あるいは強化のための補助具を提供するものである。
【課題を解決するための手段】
【０００５】
本発明は、通常５本の指をそれぞれ差し込む袋部をもった５指手袋を手にはめ、手袋の手首内側部分に一端を固定し、そこから伸び出た５本のゴム紐の各先端を５指先端に固定するとともに、５指の先端相互間を１本のゴム紐で環状に繋いだものであり、手袋をはめた手を開いたり閉じたりすることで、又は５本の指の相互間を開くときにゴム紐の張力に逆らった力が必要となり、このゴムを引っ張る力を高めることで、指のインナーマッスルやアウターマッスルをそれぞれ鍛えて指や手の機能回復を早めるとともに、指、手の握力や腕の筋力強化を図ることのできるものである。
【発明の効果】
【０００６】
本発明では、医療の現場では作業療法士がいなくても、機能障害者やスポーツ選手等が自分自身でリハビリが行え、機能回復を早め、又スポーツ選手等にとっては大事な指、手の握力や、腕の筋力強化を図るのに適した補助具であり、医療の現場では作業療法士等の関連人件費の削減にも役立つものである。
【発明を実施するための最良の形態】
【０００７】
以下本発明の実施形態に掛かる補助具を、図１から図３に基づいて説明する。
図１は、傷害を負った手（ここでは右手）に５指手袋をはめたままで手を握った状態を示す。図中１は５指手袋、２は手袋の手首内側部分、３は２の部分に一端が固定された５本のゴム紐を示す。
図２は、図１に示す握った手の状態から手を開いた、すなわち５指の指をピンと伸ばした状態を示す図である。このとき３で示す５本のゴム紐は、その有している弾力に勝った力で引っ張られる。従って５本の指にはゴム紐を引っ張るという負荷が掛かる。そのとき指により一層力を入れることで、指あるいは手、腕の力を強化することになり、これが機能回復を早めることにつながる。
図３は、５本の指を横に開いた状態を示す。このときには５本のゴム紐３に加え、５指先端間を環状に結んだ６番目の１本のゴム紐４によって各指先に負荷が掛かる。この状態で、指により一層力を入れることで、指先を結ぶあるいは開く筋力を強化して機能回復を早めることができる。
【実施例１】
【０００８】
次に成人男性用の右手用機能回復補助具について説明する。この場合、例えば開いた手の平の手首から指付け根までの縦の長さは約１０センチメートル、親指から小指までの横の長さは約９センチメートル、中指の長さは約９センチメートルとした。
５指手袋１の手首内側２から伸び出た５本のゴム紐３の長さは、手を開いたときに各指の機能に合った負荷、すなわちゴム紐を引っ張る力が指に掛かるように、５本の各々の指で長さ（強度）を決める。手首から、握った手の親指の先端までは約１０センチメートル、手首から人差指、中指、薬指の各先端までは同じく約１０センチメートル、手首から小指の先端までは約８センチメートルとした。      親指から小指までの５本の指全てを環状に繋ぐ６番目のゴム紐４の長さは約２１センチメートルとした。各指間のゴム紐４の長さは、親指の先端と人差指先端の間は約６センチメートル、人差指先端と中指先端、中指先端と薬指先端との間はかく２センチメートル、薬指先端と小指先端の間は３センチメートル、および小指先端と親指先端との間は８センチメートルとした。ゴム紐を繋ぐ指先や手首のところはゴム紐が簡単に抜け出ないように特に強固に固定した。３および４の素材は伸縮自在なゴム製が良いが、５指手袋１は伸縮性のあるものであっても、あるいは単なる布製であってもよい。使用するときは手を握った状態から始めて手を開たり握たり、又は指を１本ずつを伸ばす動きを繰り返し行い、又は指間と指間を１本ずつ開くか、又は５指とも同時に開く、同時に閉じる、の動きを繰り返し行う。  その動きにつれてゴム紐３及び４が指先に負荷を与え、そのためにより一層指に力を入れる動きを繰り返すことで、指や手の機能回復を早め、指や手のインナーマッスルや、アウターマッスルを鍛えて指や手の握力も腕の筋力も強化することが出来る。
以上は成人男性用の補助具についての説明であるが、手袋のサイズは男性用、女性用、子供用共に左、右ともにそろえて、使用者の年齢、体格、利き手の左右の応じて使用すると、老若男女いずれにも利用することが出来る。
【図面の簡単な説明】
【０００９】
【図１】本発明の補助具を手に付け手を結んだ図である。
【図２】本発明の補助具を手に付け指を開き指をピンと伸ばした状態を手の内側を見た図である。
【図３】本発明の補助具を手に付け５指全てを開いた図である。
【符号の説明】
【００１０】
１、５指手袋
２、５指手袋の手首部分
３、手首部分と５指先端を各々繋ぐゴム紐
４、指先端と指先端５指全てを環状に繋ぐ６番目のゴム紐。
【図１】
2010104511.tif 000003
【図２】
2010104511.tif 000004
【図３】
2010104511.tif 000005
(57)【要約】【課題】  テニスラケツトのストリングの張力低下を補強することができるグロメツトを提供する。【解決手段】  テニスラケツトのグロメツト１にの凸起３を設け、ストリング４とグロメツト１の間の空隙５に先端を細くした屈曲自在の楔６を圧入してストリング４を拡げ張力の低下を防止する。【選択図】       図３
2010104540.tif 000002
【特許請求の範囲】
【請求項１】
テニスラケツトに装着されたグロメツトの隣接するストリング孔の間の所要箇所に凸起を設け、ストリングとグロメツトの空隙に先端を細くした屈曲自在の楔を圧入れすることを特徴とするテニスラケツトのグロメツト。
【請求項２】
テニスラケツトを張るときグロメツトとストリングの間の所要箇所に空隙を形成する部材を挟み込み、この空隙に先端を細くした屈局自在の楔を圧入することを特徴とするテニスラケツトのグロメツト。
【発明の詳細な説明】
【技術分野】
【０００１】
本発明はテニスラケツトのグロメツトに関するものである。
【背景技術】
【０００２】
図８、図９、図１０、において テニスラケツトのグロメツト１はストリング４とフレ−ムの直接接触を防止し、フレ−ムの損傷をおさえ、また振動を防止するためフレ−ムの両サイド、ラケツトトツプ、ヨ−クなどにとりつけている。
【発明の開示】
【発明が解決しようとする課題】
【０００３】
テニスラケツトのストリングはラケツトに 張つてから約２４時間経過すると 張力は約１５%低下する 。
（参照  ニツク，ポロデ−著  ポロデ−のテニスコ−チング  ２１６頁  大修館書店）
この張力の低下を予め予想してやや硬めに張つているが、ストリグの種類、気候等の諸条件により異なり、特に高湿度時に使用後は張力低下は著しく好みの反発力を得るためにはストリングを張りかえ以外に方法はなく、その都度時間と経費を要している。
【課題を解決するための手段】
【０００４】
この課題を解決するため請求項１の発明は、テニスラケツトに装着されたグロメツト１の隣接するストリング孔２の所要箇所に凸起３を設けて ストリングを張つた状態 でストリングとグロメツトの間に空隙５を設けるものである。この空隙５に先端を細くした屈局自在の楔６を圧入しストリングを拡張して張力を補強する。このように空隙を設けこの空隙に屈曲自在の楔を圧入することを特徴とするテニスラケツトのグロメツトである。
【０００５】
請求項２の発明は、ストリングを張るときテニスラケツトに装着されたグロメツト１とストリング孔２の間の所要箇所に空隙を形成する部材７を挟み込み空隙５を設けるものである。この空隙５に先端を細くした屈局自在の楔６を圧入してストリングを拡張して張力を補強する。このように空隙を設けこの空隙に先端を細くした屈曲自在の楔を圧入することを特徴とするテニスラケツトのグロメツトである。
【発明の効果】
【０００６】
演奏前の弦楽器の弦の調整のように、ラケツトを使用前に本発明のストリングとグロメツト間の空隙に屈局自在の楔を圧入して希望する張力を保持し、使用後は楔をゆるめてストリングを休止させストリングの耐用年数を延長することができる。
【実施例１】
【０００７】
図１、図２、図３  において凸起３はフレ−ムの両サイド９、ラケツトトツプ１１、ヨ−ク１０、に設けているので、所用する個所の空隙に先端を細くした屈曲自在の楔６を圧入し ストリングを拡張して 張力を補強しスイ−トスポツトを拡大する。
【実施例２】
【０００８】
図５、図６においてストリングを張るときグロメツト１とストリング孔２の間の所要箇所に空隙を形成する部材７を挟み込み空隙５を設けるものである。この空隙５に先端を細くした屈曲自在の楔６を圧入するが、その箇所はラケツトの中心部付近、またはスイ−トスポツトの拡大等を考慮して施工する。
【図面の簡単な説明】
【０００９】
【図１】本発明の請求項１のグロメツトの平面図
【図２】本発明の請求項１のグロメツトの断面図
【図３】本発明のグロメツトとストリングの間に先端を細くした屈曲自在の楔を圧入した断面図
【図４】本発明の先端を細くした屈曲自在の楔
【図５】本発明の空隙を形成する部材を挟み込んだグロメツトの平面図
【図６】本発明の空隙を形成する部材を挟み込んだグロメツトの空隙に先端を細くした屈曲自在の楔を圧入した断面図
【図７】テニスラケツトの平面図
【図８】テニスラケツトの側面図
【図９】グロメツトの平面図
【図１０】グロメツトの断面図
【符号の説明】
【００１０】
１     グロメツト
２     ストリング保護管
３     本発明の凸起
４     ストリング
５     ストリングとグロメツトの間の空隙
６     先端を細くした屈曲自在の楔
７     本発明の空隙を形成する部材
８      フレ−ム
９     サイド
１０    ヨ−ク
１１    テニスラケツトトツプ
【図１】
2010104540.tif 000003
【図２】
2010104540.tif 000004
【図３】
2010104540.tif 000005
【図４】
2010104540.tif 000006
【図５】
2010104540.tif 000007
【図６】
2010104540.tif 000008
【図７】
2010104540.tif 000009
【図８】
2010104540.tif 000010
【図９】
2010104540.tif 000011
【図１０】
2010104540.tif 000012